【手続補正書】
【提出日】平成17年12月5日(2005.12.5)
【手続補正１】
【補正対象書類名】特許請求の範囲
【補正対象項目名】全文
【補正方法】変更
【補正の内容】
【特許請求の範囲】
【請求項１】
流入口及び流出口を有する本体と、
バルブシートにおける移動部材の密閉作用時に、前記流入口及び前記流出口の間の水流を閉鎖し、それによって前記流入口から前記流出口への流れを制御するように位置付けられている前記本体内のバルブアセンブリと、
前記移動部材の動作を作動させるアクチュエータと、
前記アクチュエータに駆動信号をもたらすように構成されている電力ドライバに結合されている制御器とからなるトイレ流水装置。
【請求項２】
前記移動部材が、バルブ腔内を直線的に移動するように構成されている高流量率ダイアフラムである請求項１のトイレ流水装置。
【請求項３】
前記移動部材がダイアフラムである請求項１のトイレ流水装置。
【請求項４】
前記移動部材がピストンである請求項１のトイレ流水装置。
【請求項５】
前記アクチュエータが、ソレノイドコイル及び、電機子を可動関係で受容するように構成されて配列されている電機子ハウジングを含み、当該電機子が、前記流入口及び前記流出口と接続するバルブ通路と共働するように配列されている遠位端を含む請求項１のトイレ流水装置。
【請求項６】
前記制御器が前記信号に基づいてラッチ点を決定するように構成されている請求項１のトイレ流水装置。
【請求項７】
前記制御器が、前記ラッチ点に基づいて前記駆動信号の適用を制御するように構成されている請求項６のトイレ流水装置。
【請求項８】
前記制御器が、前記ラッチ点に基づいてラッチ時間を決定するように構成され、そのラッチ時間に基づいて流体の圧力を決定するように構成されている請求項６のトイレ流水装置。
【請求項９】
前記アクチュエータが絶縁されているアクチュエータである請求項１又は５のトイレ流水装置。
【請求項１０】
ソレノイドコイル及び、電機子を可動関係で受容するように構成されて配列されている電機子ハウジングを含むアクチュエータと、
前記ソレノイドコイルに駆動信号をもたらし、前記電機子を移動させ、それによって流体の流れに対するバルブ通路を開き又は閉じるように構成されている電力ドライバに結合されている制御器と、
前記電機子の位置を感知し、前記制御器に信号をもたらすように構成され配置されているアクチュエータセンサとからなる電磁アクチュエータシステム。
【請求項１１】
前記センサが、前記電機子の移動により誘導された電圧を検知するように構成されている請求項１０の電磁アクチュエータシステム。
【請求項１２】
前記センサが、前記電機子の移動による前記駆動信号への変化を検知するように構成され配列されている請求項１１の電磁アクチュエータシステム。
【請求項１３】
前記センサが、前記駆動信号の少なくとも一部を受容するように配置されている抵抗器及び、この抵抗器を横切る電圧を計測するように構成されている電圧計を含む請求項１１の電磁アクチュエータシステム。
【請求項１４】
前記センサが、前記電機子の移動により誘導された前記電圧を検知するよう構成され配列されているコイルセンサを含む請求項１１の電磁アクチュエータシステム。
【請求項１５】
前記コイルセンサが、フィードバック配列において、前記制御器に調整済み信号を提供する信号調整器に接続されている請求項１４の電磁アクチュエータシステム。
【請求項１６】
前記信号調整器が、前置増幅器及び低域フィルタを含む請求項１５の電磁アクチュエータシステム。
【請求項１７】
前記センサが、それぞれ前記電機子の移動により誘導された前記電圧を検知するよう構成され配列されている２つのコイルセンサを含む請求項１１の電磁アクチュエータシステム。
【請求項１８】
前記コイルセンサが、フィードバック配列において、前記制御器に差動信号を提供するよう構成されている差動増幅器に接続されている請求項１７の電磁アクチュエータシステム。
【請求項１９】
前記アクチュエータセンサが光学センサを含む請求項１０の電磁アクチュエータシステム。
【請求項２０】
前記アクチュエータセンサが容量センサを含む請求項１０の電磁アクチュエータシステム。
【請求項２１】
前記アクチュエータセンサが、前記電機子の移動による信号の変化を敏感に検知するためのブリッジを含む請求項１０の電磁アクチュエータシステム。
【請求項２２】
前記電機子ハウジングが、前記ソレノイドが前記駆動信号を受容すると、前記電機子が直線移動するように構成され配列されている請求項１０の電磁アクチュエータシステム。
【請求項２３】
前記アクチュエータが、前記ソレノイドコイルにいかなる駆動信号も送ることなく、前記電機子を前記通路が開いた状態に保持するように構成されているラッチアクチュエータである請求項２２の電磁アクチュエータシステム。
【請求項２４】
前記ラッチアクチュエータが、前記電機子を前記通路が開いた状態に保持するよう配列されている永久磁石を含む請求項２３の電磁アクチュエータシステム。
【請求項２５】
前記ラッチアクチュエータがさらに、前記電機子を伸びた位置に偏らせ、前記ソレノイドコイルにいかなる駆動信号も送ることなく、通路が閉じた状態をもたらすように配置され配列されているバイアスバネを含む請求項２３の電磁アクチュエータシステム。
【請求項２６】
さらに前記制御器に結合されている人検知センサを含む請求項１０の電磁アクチュエータシステム。
【請求項２７】
流体流入ポート及び流体流出ポートと、
バルブ腔を画定し、バルブ閉鎖面を含むバルブ本体と、
２つの圧力域もたらし、ガイド部材に対して前記バルブ腔内で移動可能なフラムアセンブリであって、前記圧力域の第１圧力域における圧力が減少する際に、開放位置に移動し、流体が前記流体流入ポートから前記流体流出ポートへ流れるのを可能にするように構成され、前記第１圧力域における圧力が増大する際に、閉鎖位置へ移動し、前記バルブ閉鎖面で密閉を生成するように構成されているフラムアセンブリとからなるバルブ装置。
【請求項２８】
前記２つの圧力域が、フラム部材によって分離されている２つのチャンバを含み、前記第１圧力域がパイロットチャンバを含む請求項２７のバルブ装置。
【請求項２９】
前記パイロットチャンバにおける圧力を解放し、それによって前記フラム部材の前記閉鎖位置から前記開放位置へと移動を起こすように構成され配列されているオペレータを含む請求項２７のバルブ装置。
【請求項３０】
前記オペレータがラッチアクチュエータを含む請求項２９のバルブ装置。
【請求項３１】
前記オペレータが非ラッチアクチュエータを含む請求項２９のバルブ装置。
【請求項３２】
前記オペレータが、流体を前記アクチュエータのプランジャー腔内に収容する絶縁膜を有するアクチュエータを含む請求項２９のバルブ装置。
【請求項３３】
前記フラムアセンブリが、柔軟な部材及び硬い部材からなるフラム部材を含み、この柔軟な部材が、前記バルブ閉鎖面と接触し、前記閉鎖位置に前記密閉を形成するように構成されている請求項２７のバルブ装置。
【請求項３４】
前記バルブ閉鎖面が、前記閉鎖位置において前記密閉をもたらすリップを含む請求項３３のバルブ装置。
【請求項３５】
バイアス部材を含む請求項２７のバルブ装置。
【請求項３６】
前記バイアス部材が、前記フラム部材の前記開放位置から前記閉鎖位置へ移動するのを助けるよう構成され配列されている請求項３３のバルブ装置。
【請求項３７】
前記バイアス部材がバネを含む請求項３３のバルブ装置。
【請求項３８】
前記ガイド部材がピンを含む請求項２７のバルブ装置。
【請求項３９】
前記ガイド部材が溝を含む請求項３８のバルブ装置。
【請求項４０】
前記フラムアセンブリが、フラム部材及び、前記バルブ腔の表面に作用するスライドシールを含み、前記２つの圧力域がもたらされる請求項２７のバルブ装置。
【請求項４１】
前記第１圧力域がパイロットチャンバを含む請求項４０のバルブ装置。
【請求項４２】
前記スライドシールが片面シールを含む請求項４０のバルブ装置。
【請求項４３】
前記スライドシールが両面シールを含む請求項４０のバルブ装置。
【請求項４４】
前記バルブ装置が、加圧された供給水に接続されているトイレ流水装置内で機能するように構成され、水流を制御するように配列されている請求項２７又は２８のバルブ装置。
【請求項４５】
前記オペレータが、センサからの信号を受容する制御器によって作動される請求項２９のバルブ装置。
【請求項４６】
流体の流れを制御する方法であって、
バルブ腔を画定し、バルブ閉鎖面を含むバルブ本体に関連する流体流入ポート及び流体流出ポートを設け、
２つの圧力域を画定し、前記バルブ腔内でガイド部材に対して可動であるフラムアセンブリを設け、
前記圧力域の第１圧力域において圧力を下げ、それによって前記フラムアセンブリの開放位置への移動を起こし、前記流体流入ポートから前記流体流出ポートへの流体の流れを可能にし、
前記第１圧力域の圧力を増加させ、それによって前記フラムアセンブリの前記開放位置から前記閉鎖位置への移動を起こし、前記流体流入ポートから前記流体流出ポートへ流体が流れるのを防止するように制御通路を閉鎖することからなる方法。
【請求項４７】
前記圧力を下げることが、オペレータを作動することを含む請求項４６の方法。
【請求項４８】
前記開放及び閉鎖が、加圧された供給水に接続されているトイレ流水装置内で水流を制御するのに使用される請求項４６又は４７の方法。